(57)【要約】【課題】  冷蔵庫にガラスドアを採用することで、冷蔵庫のデザイン性を向上させることができる。しかしながら、ユーザがガラスドアを開け閉めしたり、ガラスドアに設けられている操作部を操作することで、ガラスドアに指紋・手垢が付着しやすいという課題がある。ガラスドアに多くの指紋・手垢が付着すると、ガラスドアの表面に汚れが目立つようになり、ガラスドアの見栄えが悪くなってしまう。【解決手段】  冷蔵庫１００は、ガラス板２０１で構成されるドア１０１を備える。ガラス板２０１の表面にフロスト加工が施されていて、ガラス板２０１のヘイズを、８％以上かつ２５％以下の範囲内にする。【選択図】  図３
2019203647.tif 000002
【特許請求の範囲】
【請求項１】
ガラス板で構成されるガラスドアを備える冷蔵庫であって、
前記ガラス板の表面にフロスト加工が施され、
ユーザが前記ガラス板を通して視認するオブジェクトが、前記ガラス板の内面側に配置され、
前記ガラス板のヘイズが、８％以上かつ２５％以下の範囲内であることを特徴とする冷蔵庫。
【請求項２】
ガラス板で構成されるガラスドアを備える冷蔵庫であって、
前記ガラス板の表面にフロスト加工が施され、
ユーザが前記ガラス板を通して視認するオブジェクトが、前記ガラス板の内面側に配置され、
前記ガラス板のうち前記オブジェクトに対応する第１の領域のヘイズが、８％以上かつ２５％以下の範囲内であり、前記ガラス板のうち前記第１の領域とは異なる第２の領域のヘイズが、３０％以上であることを特徴とする冷蔵庫。
【請求項３】
ガラス板で構成されるガラスドアを備える冷蔵庫であって、
ユーザが前記ガラス板を通して視認するオブジェクトが、前記ガラス板の内面側に配置され、
前記ガラス板の表面のうち前記オブジェクトに対応する第１の領域に、フロスト加工が施されず、前記ガラス板の表面のうち前記第１の領域とは異なる第２の領域に、フロスト加工が施されていることを特徴とする冷蔵庫。
【請求項４】
前記オブジェクトは、発光部、機種名、ブランド名、ブランドロゴマーク、企業名のいずれか、又は、複数であることを特徴とする請求項１から３のいずれか１項に記載の冷蔵庫。
【請求項５】
ガラス板で構成されるガラスドアを備える冷蔵庫であって、
前記ガラス板の表面は、フロスト加工が施されていない第１の領域と、フロスト加工が施されている第２の領域とに区分され、
前記第１の領域にオブジェクトが配置されていることを特徴とする冷蔵庫。
【請求項６】
前記オブジェクトは、接着剤、又は、両面テープによって前記第１の領域に接着されていることを特徴とする請求項５に記載の冷蔵庫。
【請求項７】
前記オブジェクトは、機種名、ブランド名、ブランドロゴマーク、企業名のいずれかを示す部材であることを特徴とする請求項５又は６に記載の冷蔵庫。
【発明の詳細な説明】
【技術分野】
【０００１】
本発明は冷蔵庫に関する。
【背景技術】
【０００２】
近年のユーザは、冷蔵庫に対して、基本的な冷却性能に加えてデザイン性を更に求める傾向がある。この傾向に応えるために、例えば特許文献１に開示されているようなガラスドアを備える冷蔵庫が市場に多く投入されている。
【先行技術文献】
【特許文献】
【０００３】
【特許文献１】特開２０１４−０５２１５９号公報
【発明の概要】
【発明が解決しようとする課題】
【０００４】
冷蔵庫にガラスドアを採用することで、冷蔵庫のデザイン性を向上させることができる。しかしながら、ユーザがガラスドアを開け閉めしたり、ガラスドアに設けられている操作部を操作することで、ガラスドアに指紋・手垢が付着しやすいという課題がある。ガラスドアに多くの指紋・手垢が付着すると、ガラスドアの表面に汚れが目立つようになり、ガラスドアの見栄えが悪くなってしまう。
【０００５】
そこで本発明では、冷蔵庫のドアとして、指紋・手垢が付着しにくいガラスドアを提供することを目的とする。
【課題を解決するための手段】
【０００６】
上述した課題を解決するために、本発明が提供する冷蔵庫は、ガラス板で構成されるガラスドアを備える冷蔵庫であって、前記ガラス板の表面にフロスト加工が施され、ユーザが前記ガラス板を通して視認するオブジェクトが、前記ガラス板の内面側に配置され、前記ガラス板のヘイズが、８％以上かつ２５％以下の範囲内であることを特徴とする。
【０００７】
また、本発明が提供する冷蔵庫は、ガラス板で構成されるガラスドアを備える冷蔵庫であって、前記ガラス板の表面にフロスト加工が施され、ユーザが前記ガラス板を通して視認するオブジェクトが、前記ガラス板の内面側に配置され、前記ガラス板のうち前記オブジェクトに対応する第１の領域のヘイズが、８％以上かつ２５％以下の範囲内であり、前記ガラス板のうち前記第１の領域とは異なる第２の領域のヘイズが、３０％以上であることを特徴とする。
【０００８】
また、本発明が提供する冷蔵庫は、ガラス板で構成されるガラスドアを備える冷蔵庫であって、ユーザが前記ガラス板を通して視認するオブジェクトが、前記ガラス板の内面側に配置され、前記ガラス板の表面のうち前記オブジェクトに対応する第１の領域に、フロスト加工が施されず、前記ガラス板の表面のうち前記第１の領域とは異なる第２の領域に、フロスト加工が施されていることを特徴とする。
【０００９】
また、本発明が提供する冷蔵庫は、ガラス板で構成されるガラスドアを備える冷蔵庫であって、前記ガラス板の表面は、フロスト加工が施されていない第１の領域と、フロスト加工が施されている第２の領域とに区分され、前記第１の領域にオブジェクトが配置されていることを特徴とする。
【発明の効果】
【００１０】
本発明によれば、冷蔵庫のドアとして、指紋・手垢が付着しにくいガラスドアを提供することができる。
【図面の簡単な説明】
【００１１】
【図１】冷蔵庫１００を示す図である。
【図２】ドア１０１を示す図である。
【図３】ドア１０１の分解図である。
【図４】ドア１０１の断面図である。
【図５】ドア１０１の断面図である。
【図６】ガラス板２０１を示す図である。
【図７】ガラス板２０１を示す図である。
【図８】ガラス板２０１を示す図である。
【発明を実施するための形態】
【００１２】
以下、本発明の実施形態について、図面を用いて説明する。なお、以下の実施形態は特許請求の範囲に係る発明を限定するものでなく、また実施形態で説明されている特徴の組み合わせの全てが発明の解決手段に必須のものとは限らない。
（実施形態１）
図１は冷蔵庫１００の外観図である。冷蔵庫１００は、冷蔵庫１００は、金属製（例えば鉄板）の外箱と、硬質樹脂製（例えばＡＢＳ）の内箱と、外箱と内箱との間に充填した発泡断熱材（例えばウレタン）とで構成される。
【００１３】
冷蔵庫１００は、冷蔵室、冷凍室、野菜室、製氷室、急速冷凍室の複数の貯蔵室に区分されている。冷蔵室は、食物等の保存物が凍らない冷蔵温度帯に維持される。図１のドア１０１とドア１０２は、観音開き式のドアであり、冷蔵室を閉塞する。ユーザは、ドア１０１とドア１０２を開閉可能である。冷凍室は、冷凍保存のために冷凍温度帯に維持される。図１のドア１０３は、冷凍室を閉塞するためのドアであり、ユーザが開閉可能である。野菜室は、野菜を保存するために冷蔵室よりやや高い温度帯に維持される。図１のドア１０４は、野菜室を閉塞するためのドアであり、ユーザが開閉可能である。図１のドア１０５は、急速冷凍室を閉塞するためのドアであり、ユーザが開閉可能である。図１のドア１０６は、製氷室を閉塞するためのドアであり、ユーザが開閉可能である。
【００１４】
図２は、ドア１０１を詳しく説明する図である。ドア１０１の前面はガラス板２０１で構成されている。以降の説明では、表面がガラス板で構成されるドアのことをガラスドアと呼ぶ場合がある。内箱フレーム２０２は、ドア１０１をユーザが閉じた際に冷蔵室の開口部を閉塞する。ガラス板２０１と内箱フレーム２０２は、ガラス板２０１の外周を覆う縁枠２０３によって結合している。なお、ドア１０２もドア１０１と同様の構造である。
【００１５】
ガラス板２０１の表面はフロスト加工が施されている。ガラス板２０１の表面とは、ドア１０１を閉じた際に冷蔵庫１００の庫外に曝される面を指す。フロスト加工とは、ガラス板の表面に微細な凹凸を形成し、更にガラス板の表面をフッ酸等の薬液で化学処理することで滑らかにする加工のことである。以降の説明では、ガラス板の表面にフロスト加工が施されたガラスドアのことをフロストガラスドアと呼ぶ場合がある。
【００１６】
フロスト加工をガラス板２０１の表面に施すことで、フロスト加工をガラス板２０１の表面に施さない場合に比べて、ユーザがガラス板２０１の表面に触れた際に指紋・手垢が付着しにくくなる。指紋・手垢がガラス板２０１の表面に付着しにくいということは、ガラス板２０１の表面において汚れが目立ちにくいということである。
【００１７】
また、フロスト加工をガラス板２０１の表面に施すことで、フロスト加工をガラス板２０１の表面に施さない場合に比べて鏡面光沢が抑えられ、ガラスドアの見た目がマットな質感になる。なお、すりガラスでも鏡面光沢を抑えることができるが、すりガラスとフロスト加工を施したガラスとを比較すると、フロスト加工を施したガラスの方が指紋・手垢が付着しにくいという特徴がある。また、指紋・手垢が汚れとして付着したとしても、すりガラスよりもフロスト加工を施したガラスの方が汚れを落としやすいという特徴もある。
【００１８】
図３は、ドア１０１の分解図である。また、図４は、図２のＡ−Ａ線で切断した際の断面図である。また図５は、図２のＢ−Ｂ線で切断した際の断面図である。ガラス板２０１の内面にはユーザが視認する視認情報が印刷され、更に接着剤４０１を介して樹脂フィルム４０２と着色層４０３が貼り付けられている。ガラス板２０１の内面とは、ドア１０１を閉じた際に冷蔵庫１００の庫内に位置する面を指す。ユーザが視認する視認情報とは、機種名、ブランド名、ブランドロゴマーク、企業名等を示す。ガラス板２０１と縁枠２０３は、両面テープ３０１によって接着している。また、縁枠２０３の下部には、ＬＥＤ等の発光部３０２が設けられている。ユーザは、ガラス板２０１の内面に印刷されている視認情報（機種名、ブランド名、ブランドロゴマーク、企業名等）と、発光部３０２とを、ガラス板２０１を通して視認する。また、ガラス板２０１と内箱フレーム２０２と縁枠２０３によって形成される空間には、断熱材であるウレタン４０４が発泡充填されている。
【００１９】
図６は、冷蔵庫１００の前に立つユーザがドア１０１を見た際の、ガラス板２０１の見え方を示す図である。ユーザは、ガラス板２０１を通して、ガラス板２０１の内面側に配置されているオブジェクトを視認する。本実施形態においてユーザがガラス板２０１を通して視認するオブジェクトは、ガラス板２０１の内面に印刷されている視認情報６０１と、ガラス板２０１の内面側に配置されている発光部３０２とを指す。図６では、視認情報６０１として冷蔵庫１００の機種名を例示しているが、機種名に限らず、ブランド名、ブランドロゴマーク、企業名等を視認情報６０１としてガラス板２０１の内面に印刷しても良い。また、複数種類の視認情報をガラス板２０１の内面に印刷しても良い。
【００２０】
図２で説明した通り、ガラス板２０１の表面にはフロスト加工が施されている。フロスト加工によって、ガラス板２０１の表面に指紋・手垢が付着しにくくなる。また、フロスト加工によってガラス板２０１の表面に微細な凹凸が形成され、この凹凸によって光の乱反射が発生する。光の乱反射によってドア１０１の見た目がマットな質感になり、ドア１０１のデザイン性が向上する。しかしながら、光の乱反射の度合いが強くなると、ガラス板２０１の内面側に配置されている視認情報６０１や、発光部３０２から生じる光がぼやけて見えるようになり、ユーザにとって視認性の低下に繋がる。
【００２１】
そこで出願人は、様々なヘイズのガラス板を用意し、見た目を比較した。ヘイズとは、全光線透過率における拡散透過率の割合を示す値である。比較の結果、ガラス板のヘイズが８％未満になると、フロストガラスドアらしいマットな質感が十分に得られないことが判明した。また、比較の結果、ガラス板のヘイズが２５％より大きくなると、フロストガラスドアらしいマットな質感をより強く得ることができるが、ガラス板の内面側に配置されているオブジェクトの視認性が低下することが判明した。これらの比較の結果を踏まえ、本実施形態では、ガラス板２０１のヘイズを８％以上かつ２５％以下の範囲内にすることを特徴とする。
【００２２】
以上の説明の通り、ガラス板２０１の表面にフロスト加工を施し、ドア１０１をフロストガラスドアにすることで、ユーザがガラス板２０１の表面に触れた際に指紋・手垢が付着しにくくなる。また、ドア１０１をフロストガラスドアにすることで、ドア１０１の見た目がマットな質感になり、デザイン性が向上する。
【００２３】
更に、フロスト加工を施したガラス板２０１のヘイズを８％以上かつ２５％以下の範囲内にすることで、フロストガラスドアらしいマットな質感を得ながら、ガラス板２０１の内面側に配置されているオブジェクトをユーザが見る際の視認性を良好にできる。
（実施形態２）
本実施形態では、ガラス板２０１の表面を複数の領域に区分し、各領域に最適な値のヘイズを適用する例を説明する。
【００２４】
図７は、冷蔵庫１００の前に立つユーザがドア１０１を見た際の、ガラス板２０１の見え方を示す図である。図７の領域７０１は、ガラス板２０１の内面に視認情報６０１が印刷されている領域であり、領域７０２は、ガラス板２０１の内面側に発光部３０２が配置されている領域である。即ち、領域７０１と領域７０２は、ガラス板２０１の内面側に配置されているオブジェクトに対応する領域であり、本実施形態では、これらの領域のヘイズを８％以上かつ２５％以下の範囲内にする。これにより、ガラス板２０１の内面側に配置されているオブジェクトをユーザが見る際の視認性を良好にできる。また、本実施形態では、ガラス板２０１の表面のうち領域７０１と領域７０２とを除く領域のヘイズを３０％以上にする。これにより、ドア１０１の全体の印象が実施形態１よりもマットな質感になり、デザイン性が向上する。
【００２５】
即ち、領域７０１と領域７０２は、ガラス板２０１の内面側に配置されているオブジェクトをユーザが見る際の視認性を重視しつつ、フロストガラスドアらしいマットな質感を得るために、ヘイズを８％以上かつ２５％以下の範囲内にする。一方、ガラス板２０１の表面のうち領域７０１と領域７０２とを除く領域は、フロストガラスドアらしいマットな質感をより強く得るために、ヘイズを３０％以上にする。
（実施形態３）
本実施形態では、ガラス板２０１の表面を、フロスト加工を施さない領域とフロスト加工を施す領域とに区分する例を説明する。
【００２６】
図７を用いて本実施形態の特徴を説明する。領域７０１と領域７０２は、ガラス板２０１の内面側に配置されているオブジェクトに対応する領域であり、本実施形態では、これらの領域にはフロスト加工が施されていない。フロスト加工が施されていないため、ガラス板２０１の内面側に配置されているオブジェクトをユーザが見る際の視認性を良好にできる。また、本実施形態では、ガラス板２０１の表面のうち領域７０１と領域７０２とを除く領域にはフロスト加工を施す。このとき、フロストガラスドアらしいマットな質感をより強く得るために、ヘイズを３０％以上にすることが望ましい。
【００２７】
即ち、本実施形態によれば、ガラス板２０１の内面側に配置されているオブジェクトをユーザが見る際の視認性を良好にしつつ、ガラス板２０１の表面の大部分にフロスト加工が施されるため、ガラス板２０１の表面に指紋・手垢が付着しにくくなる。
（実施形態４）
上述した各実施形態では、ガラス板２０１の内面に視認情報を印刷する例を説明したが、視認情報はガラス板２０１の表面に配置しても良い。本実施形態では、視認情報をガラス板２０１の表面に配置する例を説明する。
【００２８】
図８は、冷蔵庫１００の前に立つユーザがドア１０１を見た際の、ガラス板２０１の見え方を示す図である。領域８０１は、フロスト加工が施されていない領域であり、この領域８０１にオブジェクト、例えば機種名が印刷された板部材が配置される。このオブジェクトは接着剤や両面テープによって領域８０１に接着されるが、領域８０１にはフロスト加工が施されていないため、接着強度を維持しやすくなる。また、ガラス板２０１の表面のうち領域８０１を除く領域には、フロスト加工が施されている。このとき、フロストガラスドアらしいマットな質感をより強く得るために、ヘイズを３０％以上にすることが望ましい。ガラス板２０１の表面の大部分にフロスト加工が施されるため、ガラス板２０１の表面に指紋・手垢が付着しにくくなる。
【００２９】
なお、領域８０１に配置されるオブジェクトとして機種名が印刷された板部材を例示したが、機種名に限らず、ブランド名、ブランドロゴマーク、企業名等のいずれかを示す板部材を領域８０１に配置しても良い。
【産業上の利用可能性】
【００３０】
本発明は、家庭用の冷蔵庫や冷凍庫、業務用の冷蔵庫や冷凍庫に適用できる。
【符号の説明】
【００３１】
１００  冷蔵庫
１０１  ドア
２０１  ガラス板
３０２  発光部
６０１  視認情報
【図１】
2019203647.tif 000003
【図２】
2019203647.tif 000004
【図３】
2019203647.tif 000005
【図４】
2019203647.tif 000006
【図５】
2019203647.tif 000007
【図６】
2019203647.tif 000008
【図７】
2019203647.tif 000009
【図８】
2019203647.tif 000010